(57)【要約】【課題】  動力作業機を作業者に装着すべき吊り下げベルトに連結するための連結装置に関する誤装着を防止する。【解決手段】  作業者に連結されるべき連結板１と、動力作業機に連結されるべき吊り下げ具１０の組み合わせからなり、吊り下げ具の係止雌金具１１の係止穴１１Ａが外挿可能な係止雄金具１２の係止側を先端に向かうテーパー面とし、更に穴を設けると共に、上記の穴に進退自在に貫通すべきストッパー片１５を用意し、その後方に退出方向に引き抜くための引手１７を設けた連結装置において、係止雌金具に設けた係止穴を係止雄金具に外挿可能な範囲で可及的に小さく構成すると共に、係止雄金具に設けた穴を貫通すべきストッパー片を断面円状の柱状体とする。【選択図】      図１
0003167506.tif 000002
【実用新案登録請求の範囲】
【請求項１】
作業者に連結されるべき連結板と、動力作業機に連結されるべき吊り下げ具の組み合わせからなり、吊り下げ具に連結した係止雌金具の係止穴が外挿可能な係止雄金具を連結板に立設すると共に、上記係止雄金具の係止側を先端に向かうテーパー面とし、更にこのテーパー面とその裏面を貫通する穴を係止雄金具に設けると共に、上記の穴に進退自在に貫通すべきストッパー片を用意し、上記ストッパー片の後方には退出方向に引き抜くための引手を設けた動力作業機用連結装置において、上記の係止雌金具に設けた係止穴を係止雄金具に外挿可能な範囲で可及的に小さく構成すると共に、係止雄金具に設けた穴を貫通すべきストッパー片を断面円状の柱状体としたことを特徴とする動力作業機用連結装置。
【請求項２】
係止雄金具を断面非対象形状とすると共に、係止雌金具に設けた係止穴を上記の係止雄金具の断面形状に対応させた請求項１記載の動力作業機用連結装置。
【請求項３】
係止雄金具を断面Ｌ字状とすることにより断面非対象形状とした請求項２記載の動力作業機用連結装置。
【考案の詳細な説明】
【技術分野】
【０００１】
この考案は、例えば動力草刈機等のような動力作業機を、作業者に装着すべき吊り下げベルトに連結するための連結装置に関する。
【背景技術】
【０００２】
この種の動力作業機はその使用に当たってそれを抱えて作業することは無理であるので、作業者において先ず吊り下げベルトを装着し、しかる後動力作業機をこのベルトに連結・支持して使用に供することが一般的である（例えば、特許文献１）。
【０００３】
しかしながら、動力作業機は構造上エンジンの加熱による火災や回転刃による事故等の危険を孕んでおり、このような異常時に動力作業機を速やかに装着状態より離脱しないと作業者に危険が及ぶおそれがあった。この場合、吊り下げベルトの係合解除により動力作業機を離脱させることになるが、作業者はこのような異常時にはパニック状態に陥っているものであり、迅速な吊り下げベルトの係合の解除は心理上期待できない状況にあり、もっと速やかな離脱手段が必要であった。
【０００４】
そのため、作業者に連結されるべき連結板と、動力作業機に連結されるべき吊り下げ具の組み合わせからなる連結装置において安全機構を設けることが行われていた。すなわち、吊り下げ具に連結した係止雌金具の係止穴が外挿可能な係止雄金具を連結板に立設すると共に、上記係止雄金具の係止側を先端に向かうテーパー面とし、更にこのテーパー面とその裏面を貫通する穴を係止雄金具に設けると共に、上記の穴に進退自在に貫通すべきストッパー片を用意し、上記ストッパー片の後方には退出方向に引き抜くための引手を設けた動力作業機用連結装置が使用されていた（例えば、特許文献２、３）。
【０００５】
図７〜図９は前記の従来技術の動力作業機用連結装置を示す。図７は連結装置を吊り下げベルトに連結した状態を示す図である。この吊り下げベルトは従来公知のものであり、作業者の両肩に掛ける一対のベルト３０および３１および、作業者の背部に位置すべき連結環３２を介してこれらのベルトから垂下される一対のベルト３３および３４からなり、ベルト３１およびベルト３３端に固定されるバックル片３６とベルト３０の中途に固定されるバックル片３５の係合により作業者に装着される作用を有する。
【０００６】
連結装置は前記の吊り下げベルトのベルト３０および３４の端部に連結されるものであり、取り付け穴４２、４２を介して吊り下げベルトのベルトと連結される連結板４１と動力作業機に連結されるべき吊り下げ具２０の組み合わせにより構成される。図中符号２２は吊り下げ具を係合するための係止雄金具である。この係止雄金具２２は後記する係止雌金具との係止側を先端に向かうテーパー面とすると共に、このテーパー面とその裏面を貫通する穴２３が穿設される（図８および９参照）。
【０００７】
前記のこの係止雄金具２２の穴２３には平板状のストッパー片２５が進退自在に設けられるが、ここでは進退自在とする手段２４として次の構造を採用している。すなわち、ここでは横向きＶ字状に構成した例えば軟質合成樹脂素材のような弾性に富む素材よりなる帯２６の一端を連結板４１の表面に固定すると共に、この帯の他端よりストッパー片２５を係止雄金具２２の穴２３に貫挿されるように突設し、ストッパー片２５と反対の方向に引手２７を設けている。よってこの場合、ストッパー片２５は帯２６の弾性による附勢力により通常は係止雄金具２２の穴２３に貫挿されているが（図８の状態）、附勢力に抗して作業者が引手２７を引くことにより穴２３より離脱することが可能となる（図９の状態）。
【０００８】
図中符号２０は吊り下げ具である。この吊り下げ具２０は動力作業機（図示せず）に連結可能なフック状に構成されると共に、一端に連結板４１の前記の係止雄金具２２に外挿して係止可能なリング状の係止雌金具２１が設けられる。
【０００９】
以上の連結具によれば、下端に動力作業機が吊り下げられた吊り下げ具２０の係止雌金具２１は吊り下げベルト３０および３４に連結される連結板４１の係止雄金具２２に外挿されて係合し、この場合、重力により係止雄金具のテーパー面の先端に向かおうとする係止雌金具の移動は、その上部に貫挿されているストッパー片２５により阻止されるので、吊り下げ具は係止状態より離脱することなく、よってこれに連結される動力作業機が吊り下げベルトに連結される作用を生じる（図８参照）。
【００１０】
一方、緊急時にはストッパー片２５の引手２７によりストッパー片を係止雄金具２２の穴２３から引き抜けば、重力により係止雄金具のテーパー面の先端に向かおうとする係止雌金具２１の移動は阻止するものがなくなり、係止雌金具はそのままテーパー面に沿って係止雄金具より滑り落ちて脱落し、よってこれに連結される動力作業機が吊り下げベルトより離脱する作用を生じる（図９参照）。
【先行技術文献】
【特許文献】
【００１１】
【特許文献１】実公平５−６７３５号公報
【特許文献２】特公平１−４０４３６号公報
【特許文献３】特開平７−２６４９１４号公報
【考案の概要】
【考案が解決しようとする課題】
【００１２】
ところで、前記の従来技術の動力作業機用連結装置においては、図１０に示すように作業者の装着ミスや装着時に何かの拍子によりストッパー片２５の先端が係止雌金具２１内に入り込んで吊り下げ具２０の裏面に達してしまうことがあった。この場合、吊り下げられた動力作業機の重みにより吊り下げ具２０は図の矢印方向、すなわち連結板４１側に引き寄せられているので、ストッパー片２５は吊り下げ具と連結板に挟まれて引き抜きが困難となり、緊急時に吊り下げ具を離脱できない問題があった。この現象は係止雌金具２１が係止雄金具２２に外挿された後にストッパー片２５が係止雌金具に入り込んでしまう他に、係止雌金具が係止雄金具に外挿される前に、係止雌金具にストッパー片が差し込まれてしまうことによっても生じた。
【００１３】
また、図１１に示すように誤って吊り下げ具２０を表裏反転して連結した場合はストッパー片２５は吊り下げ具と係止雄金具２２の穴２３の上端間に挟まれて引き抜きが困難となり、緊急時に吊り下げ具を離脱できない問題があった。
【課題を解決するための手段】
【００１４】
この考案は以上の問題点を解消した動力作業機用連結装置を提供することを目的として創作されたものであり、作業者に連結されるべき連結板と、動力作業機に連結されるべき吊り下げ具の組み合わせからなり、吊り下げ具に連結した係止雌金具の係止穴が外挿可能な係止雄金具を連結板に立設すると共に、上記係止雄金具の係止側を先端に向かうテーパー面とし、更にこのテーパー面とその裏面を貫通する穴を係止雄金具に設けると共に、上記の穴に進退自在に貫通すべきストッパー片を用意し、上記ストッパー片の後方には退出方向に引き抜くための引手を設けた動力作業機用連結装置において、上記の係止雌金具に設けた係止穴を係止雄金具に外挿可能な範囲で可及的に小さく構成すると共に、係止雄金具に設けた穴を貫通すべきストッパー片を断面円状の柱状体としたことを特徴とする。
【００１５】
また、ここでは前記連結装置において、係止雄金具を断面非対象形状とすると共に、係止雌金具に設けた係止穴を上記の係止雄金具の断面形状に対応させた動力作業機用連結装置も開示する。
【考案の効果】
【００１６】
以上の構成よりなるこの考案の動力作業機用連結装置によれば、係止雌金具に設けた係止穴を係止雄金具に外挿可能な範囲で可及的に小さく構成すると共に、係止雄金具に設けた穴を貫通すべきストッパー片を断面円状の柱状体としているので、従来技術の連結装置のようにストッパー片が係止雌金具に入り込んでしまって引き抜き不能になることが防止される。
【００１７】
また、請求項２記載の考案によれば係止雄金具を断面非対象形状とすると共に、係止雌金具に設けた係止穴を上記の係止雄金具の断面形状に対応させているので、吊り下げ具を表裏反転した状態では係止雄金具に係止雌金具の係止穴が合致せず、誤って吊り下げ具を表裏反転して連結することが防止される。
【図面の簡単な説明】
【００１８】
【図１】この考案の動力作業機用連結装置の連結を解除した状態の正面図。
【図２】同上、連結状態の正面図。
【図３】同上、連結状態の側面図。
【図４】同上、連結状態の背面図。
【図５】同上、連結を解除した状態の要部の斜視図。
【図６】同上、連結状態の要部の斜視図。
【図７】従来技術の動力作業機用連結装置の使用状態を示す正面図。
【図８】従来技術の動力作業機用連結装置の連結状態の側面図。
【図９】同上、連結を解除した状態の側面図。
【図１０】同上、誤った連結状態の側面図。
【図１１】同上、誤った連結状態の側面図。
【考案を実施するための形態】
【００１９】
以下、本願考案の具体的実施例を添付図面に基づいて説明する。図１はこの考案の動力作業機用連結装置の連結を解除した状態の正面図である。この考案の連結装置は作業者に連結されるべき連結板１と、動力作業機に連結されるべき吊り下げ具１０の組み合わせにより構成される。図中符号１２は吊り下げ具１０を係合するための係止雄金具である。この係止雄金具１２はこの実施例では連結板１の下端を上方に壁状に折り曲げて立ち上がらせた構成よりなり、連結板に対し垂直でなく下方に傾斜して立ち上がらせることにより後記する係止雌金具との係止側を先端に向かうテーパー面としている（図３参照）。この係止雄金具にはテーパー面とその裏面を貫通する穴１３が穿設される。また、この実施例では係止雄金具１２は断面Ｌ字状とすることにより断面非対象形状としている。
【００２０】
前記のこの係止雄金具１２の穴１３にはストッパー片１５が進退自在に設けられる。このストッパー片１５は断面円状の柱状体からなり、それが貫通すべき前記の係止雄金具１２の穴１３はそれに対応した円状とされる。前記ストッパー片１５が進退自在とする手段１４として、ここでは横向きＶ字状に構成した例えば軟質合成樹脂素材のような弾性に富む素材よりなる帯１６の一端を連結板１１に固定すると共に、この帯の他端よりストッパー片１５を係止雄金具１２の穴１３に貫挿されるように突設し、ストッパー片１５と反対の方向に引手１７を設けている。よってこの場合、ストッパー片１５は帯１６の弾性による附勢力により通常は係止雄金具１２の穴１３に貫挿されているが（図６の状態）、附勢力に抗して作業者が引手１７を引くことにより穴１３より離脱することが可能となる（図５の状態）。
【００２１】
図中符号１０は吊り下げ具である。この吊り下げ具１０は動力作業機（図示せず）に連結可能なフック状に構成されると共に、連結環１０Ａを介して一端に連結板１１の係止雄金具１２に外挿して係止可能な係止穴１１Ａを穿設した係止雌金具１１が設けられる。この係止穴１１Ａは係止雄金具に外挿可能な範囲で可及的に小さく構成され、ここではその断面Ｌ字状の断面形状に合致した形状とされる。
【００２２】
以上の連結具によれば、下端に動力作業機が吊り下げられた吊り下げ具１０の係止雌金具１１は作業者に連結されるべき連結板１の係止雄金具１２に外挿されて係合し、この場合、重力により係止雄金具のテーパー面の先端に向かおうとする係止雌金具の移動は、その上部に貫挿されているストッパー片１５により阻止されるので、吊り下げ具は係止状態より離脱することなく、よってこれに連結される動力作業機が吊り下げベルトに連結される作用を生じる。
【００２３】
一方、緊急時にはストッパー片１５の引手１７によりストッパー片を係止雄金具１２の穴１３から引き抜けば、重力により係止雄金具のテーパー面の先端に向かおうとする係止雌金具１１の移動は阻止するものがなくなり、係止雌金具はそのままテーパー面に沿って係止雄金具より滑り落ちて脱落し、よってこれに連結される動力作業機が吊り下げベルトより離脱する作用を生じる。
【００２４】
以上の場合において、この考案の動力作業機用連結装置によれば、係止雌金具１１に設けた係止穴１１Ａを係止雄金具１２に外挿可能な範囲で可及的に小さく構成すると共に、係止雄金具に設けた穴を貫通すべきストッパー片１５を断面円状の柱状体としているので、従来技術の連結装置のようにストッパー片が係止雌金具に入り込んでしまって引き抜き不能になることが防止される。
【００２５】
また、係止雄金具１２を断面非対象形状とすると共に、係止雌金具１１に設けた係止穴１１Ａを上記の係止雄金具の断面形状に対応させているので、吊り下げ具を表裏反転した状態では係止雄金具に係止雌金具の係止穴が合致せず、誤って吊り下げ具を表裏反転して連結することが防止される。
【符号の説明】
【００２６】
１        連結板
１０      吊り下げ具
１１      係止雌金具
１１Ａ    係止穴
１２      係止雄金具
１３      穴
１５      ストッパー片
１７      引手
【図１】
0003167506.tif 000003
【図２】
0003167506.tif 000004
【図３】
0003167506.tif 000005
【図４】
0003167506.tif 000006
【図５】
0003167506.tif 000007
【図６】
0003167506.tif 000008
【図７】
0003167506.tif 000009
【図８】
0003167506.tif 000010
【図９】
0003167506.tif 000011
【図１０】
0003167506.tif 000012
【図１１】
0003167506.tif 000013